【手続補正書】
【提出日】平成16年7月12日(2004.7.12)
【手続補正１】
【補正対象書類名】明細書
【補正対象項目名】特許請求の範囲
【補正方法】変更
【補正の内容】
【特許請求の範囲】
【請求項１】
物体側から順に、負の屈折力を有する第１群、正の屈折力を有する第２群、負の屈折力を有する第３群、正の屈折力を有する第４群、正の屈折力を有する第５群よりなり、物点移動の際の合焦は第５群で行うことを特徴とするズームレンズ。
【請求項２】
物体側から順に、負の屈折力を有する第１群、正の屈折力を有する第２群、負の屈折力を有する第３群、正の屈折力を有する第４群、正の屈折力を有する第５群よりなり、物点移動の際の合焦は第５群で行う光学系において、以下の条件を満足することを特徴とするズームレンズ。
（１）    −０．２＜βV ＜０．８
（２）    ０．６＜ΔL5／ΔL4＜１．２
（３）    ０．０５＜Ｄ45／ｆ5 ＜０．１５
ただし、βV は広角端無限物点合焦時の第５群の倍率、ΔL4は第４群の無限物点合焦状態での広角端から望遠端にかけての移動量、ΔL5は第５群の無限物点合焦状態での広角端から望遠端にかけての移動量、Ｄ45は望遠端無限遠物点合焦時における第４群と第５群との光軸上空気間隔、ｆ5 第５群の焦点距離である。
【請求項３】
物体側から順に、少なくとも負の屈折力を有する第１群、正の屈折力を有する第２群、負の屈折力を有する第３群、正の屈折力を有する第４群を含み、前記第１群が物体側から順に、正レンズ、像側が凹面の負メニスカスレンズ、負レンズと正メニスカスレンズの接合からなる負レンズ成分よりなり、以下の条件を満足することを特徴とするズームレンズ。
（５）    −４．０＜ｆ1 ／ｆW ＜−１．５
（６）    １．５５＜ｎ1 ＜１．８
（７）    １．３＜Ｒ4 ／ｆW ＜３．５
（８）    ３７＜ν1 ＜８３
ただし、ｆ1 は第１群の焦点距離、ｆW は全系の広角端での焦点距離、ｎ1 は第１群の最も物体側の正レンズの媒質屈折率、Ｒ4 は第１群の負メニスカスレンズの凹面の曲率半径、ν1 は第１群の最も物体側の正レンズの媒質アッベ数である。
【請求項４】
物体側から順に、負の屈折力を有する第１群、正の屈折力を有する第２群、負の屈折力を有する第３群、正の屈折力を有する第４群、正の屈折力を有する第５群よりなり、広角端より望遠端への変倍を、第１群と第２群の間隔及び第３群と第４群の間隔は減少し、第２群と第３群の間隔及び第４群と結像面の間隔は増大し、物点移動の際の合焦は第５群で行うことを特徴とするズームレンズ。
【請求項５】
物体側から順に、負の屈折力を有する第１群、正の屈折力を有する第２群、負の屈折力を有する第３群、正の屈折力を有する第４群、正の屈折力を有する第５群よりなり、広角端より望遠端への変倍を、第１群と第２群の間隔及び第３群と第４群の間隔は減少し、第２群と第３群の間隔及び第４群と結像面の間隔は増大し、物点移動の際の合焦は第５群で行い、その際、近距離から無限遠方向にフォーカシングさせる場合には、第５群を像側に移動し、無限遠方向から近距離方向にフォーカシングさせる場合には第５群を物体側に移動することを特徴とするズームレンズ。
【請求項６】
物体側から順に、負の屈折力を有する第１群、正の屈折力を有する第２群、負の屈折力を有する第３群、正の屈折力を有する第４群、正の屈折力を有する第５群よりなり、広角端より望遠端への変倍を、第１群と第２群の間隔及び第３群と第４群及び第３群と第５群の間隔は減少し、第２群と第３群の間隔及び第４群と結像面及び第５群と結像面の間隔は増大し、第５群を移動させることにより被写体へのフォーカシングを行うことを特徴とするズームレンズ。
【請求項７】
前記第５群が非球面を含む正の単レンズ成分又は接合された正のレンズ成分からなることを特徴とする請求項１、２、４、５、６の何れか１項記載のズームレンズ。
【請求項８】
前記第５群の正レンズ成分のシェープファクターが以下の条件を満足することを特徴とする請求項７記載のズームレンズ。
（４）    −２＜（Ｒ51＋Ｒ52）／（Ｒ51−Ｒ52）＜０．２
ただし、Ｒ51は第５群の最も物体側の面の曲率半径、Ｒ52は第５群の最も像側の面の曲率半径である。
【請求項９】
物体側から順に、少なくとも負の屈折力を有する第１群、正の屈折力を有する第２群、負の屈折力を有する第３群、正の屈折力を有する第４群を含み、前記第１群が物体側から順に、正レンズ、像側が凹面の負メニスカスレンズ、負レンズ、像側が凹面の正メニスカスレンズよりなり、以下の条件を満足することを特徴とするズームレンズ。
（９）    ０．５＜Ｄ6 ／ｆW ＜１．２
（10）    −４．０＜ｆ1 ／ｆW ＜−１．５
（11）    １．５５＜ｎ1 ＜１．８
（12）    １．３＜Ｒ4 ／ｆW ＜３．５
（13）    ３７＜ν1 ＜８３
ただし、Ｄ6 は第１群の負レンズと正メニスカスレンズとの間隔、ｆ1 は第１群の焦点距離、ｆW は全系の広角端での焦点距離、ｎ1 は第１群の最も物体側の正レンズの媒質屈折率、Ｒ4 は第１群の負メニスカスレンズの凹面の曲率半径、ν1 は第１群の最も物体側の正レンズの媒質アッベ数である。
【請求項１０】
物体側から順に、少なくとも負の屈折力を有する第１群、正の屈折力を有する第２群、負の屈折力を有する第３群、正の屈折力を有する第４群を含み、前記第１群が物体側から順に、像側が凹面の負メニスカスレンズ、負レンズ、正レンズと負レンズとの接合からなるレンズ成分よりなり、以下の条件を満足することを特徴とするズームレンズ。
（14）    −４．０＜ｆ1 ／ｆW ＜−１．５
（15）    １．３＜Ｒ2 ／ｆW ＜３．５
ただし、ｆ1 は第１群の焦点距離、ｆW は全系の広角端での焦点距離、Ｒ2 は第１群の負メニスカスレンズの凹面の曲率半径である。
【請求項１１】
物体側から順に、少なくとも負の屈折力を有する第１群、正の屈折力を有する第２群、負の屈折力を有する第３群、正の屈折力を有する第４群を含み、前記第１群が物体側から順に、像側が凹面の負メニスカスレンズ、負レンズ、正レンズと負レンズとの接合からなるレンズ成分よりなり、少なくとも１面の非球面を含み、以下の条件を満足することを特徴とするズームレンズ。
（14）    −４．０＜ｆ1 ／ｆW ＜−１．５
（15）    １．３＜Ｒ2 ／ｆW ＜３．５
ただし、ｆ1 は第１群の焦点距離、ｆW は全系の広角端での焦点距離、Ｒ2 は第１群の負メニスカスレンズの凹面の曲率半径である。
【請求項１２】
前記第１群の焦点距離の絶対値をｆ1abs、前記第１群の後側主点位置の絶対値をＨｂ1absとしたとき、以下の条件を満たすことを特徴とする請求項１から１１の何れか１項記載のズームレンズ。
（16）    ０．１５＜Ｈｂ1abs／ｆ1abs＜０．９
【請求項１３】
前記第１群と第２群に関して、以下の条件を満たすことを特徴とする請求項１から１１の何れか１項記載のズームレンズ。
（17）    ０．７×１０-2ｍｍ＜Ｈｂ1abs／（ｆ1abs・ｆ2 ）                                                    ＜６×１０-2ｍｍ
ただし、ｆ1absは第１群の焦点距離の絶対値、Ｈｂ1absは第１群の後側主点位置の絶対値、ｆ2 は第２群の焦点距離である。
【請求項１４】
前記第３群が接合された凹レンズ成分と負の単レンズの２つのレンズ成分にて構成されており、以下の条件を満たすことを特徴とする請求項１から１１の何れか１項記載のズームレンズ。
（18）    ０．１＜ｆ31／ｆ32＜１
ただし、ｆ31は第３群の接合された凹レンズ成分の焦点距離、ｆ32は第３群の負の単レンズの焦点距離である。
【請求項１５】
前記第３群が接合された凹レンズ成分と負の単レンズの２つのレンズ成分にて構成されており、以下の条件式（１６）、（１７）、（１８）を満足することを特徴とする請求項１から１１の何れか１項記載のズームレンズ。
（16）    ０．１５＜Ｈｂ1abs／ｆ1abs＜０．９
（17）    ０．７×１０-2ｍｍ＜Ｈｂ1abs／（ｆ1abs・ｆ2 ）                                                    ＜６×１０-2ｍｍ
（18）    ０．１＜ｆ31／ｆ32＜１
ただし、ｆ1absは第１群の焦点距離の絶対値、Ｈｂ1absは第１群の後側主点位置の絶対値、ｆ2 は第２群の焦点距離、ｆ31は第３群の接合された凹レンズ成分の焦点距離、ｆ32は第３群の負の単レンズの焦点距離である。
【請求項１６】
広角端から望遠端にかけて変倍する際、第１群は広角端よりも望遠端にて像側に移動し、第２群と第４群が常に物体側に移動し、第３群が固定であることを特徴とする請求項１から１５の何れか１項記載のズームレンズ。
【請求項１７】
前記第２群と第４群が一体に移動することを特徴とする請求項１６記載のズームレンズ。
【請求項１８】
開口絞りを有し、該開口絞りが第２群と一体に移動するか又は第３群近傍に固定であることを特徴とする請求項１から１７の何れか１項記載のズームレンズ。